(57)【要約】【課題】多階層のメニュー表示が可能であると共に、複数の階層を同一の画面内に表示することが可能な車載用表示装置を提供する。【解決手段】タッチパネル２を備え、複数のメニューから任意のメニューを選択して実行する車載装置に搭載された車載用表示装置１において、操作者のタッチパネル２に対する接触を検知する入力部２ｂと、入力部２ｂの検知結果に基づいて第１階層１３をなす複数のセレクトメニューをそれぞれ多角形アイコンとしてタッチパネル２に表示すると共に、第２階層１４をなす複数の実行メニューをそれぞれ多角形アイコンとしてタッチパネル２に表示する表示制御部７とを有し、表示制御部７は、複数のセレクトメニュー表示時に第１セレクトメニューが選択された場合、第１セレクトメニューを中心として第１セレクトメニューに対応する複数の第１実行メニューを多角形アイコンに外接するように表示し、このとき第１セレクトメニューの表示状態を維持する構成とした。【選択図】図３
2014144738.tif 000002
【特許請求の範囲】
【請求項１】
タッチパネルを備え、複数のメニューから任意のメニューを選択して実行する車載装置に搭載された車載用表示装置において、
操作者の前記タッチパネルに対する接触を検知する入力部と、前記入力部の検知結果に基づいて、第１階層をなす複数のセレクトメニューをそれぞれ多角形アイコンとして前記タッチパネルに表示すると共に、第２階層をなす複数の実行メニューをそれぞれ多角形アイコンとして前記タッチパネルに表示する表示制御部とを有し、前記表示制御部は、前記複数のセレクトメニュー表示時に前記複数のセレクトメニューのうちの何れか１つである第１セレクトメニューが選択された場合、第１セレクトメニューに対応する複数の第１実行メニューを、第１セレクトメニューを中心として多角形アイコンに外接するように表示し、このとき第１セレクトメニューの表示状態を維持することを特徴とする車載用表示装置。
【請求項２】
請求項１記載の車載用表示装置において、
前記表示制御部は、前記タッチパネルの入力位置を多角形入力アイコンとして表示すると共に前記多角形入力アイコンを中心として前記複数のセレクトメニューを表示し、前記複数のセレクトメニュー及び前記実行メニューの選択は、前記入力部のドラッグ操作方向に基づいて決定されることを特徴とする車載用表示装置。
【請求項３】
請求項１または２記載の車載用表示装置において、
前記表示制御部は、前記複数の第１実行メニュー表示時に、前記複数のセレクトメニューのうち第１セレクトメニューとは異なる第２セレクトメニューが選択された場合、第２セレクトメニューに対応する複数の第２実行メニューを、第２セレクトメニューを中心として多角形アイコンに外接するように表示し、このとき第２セレクトメニューの表示状態を維持することを特徴とする車載用表示装置。
【請求項４】
請求項１から３までの何れか１つに記載の車載用表示装置において、
第１セレクトメニューに対する前記入力部の接触を解除すると第１セレクトメニューに対応する複数の第１実行メニューの表示状態が固定され、前記複数の第１実行メニューのうちの何れか1つの第１実行メニューに対する接触を解除すると、この接触解除された第１実行メニューが実行されることを特徴とする車載用表示装置。
【発明の詳細な説明】
【技術分野】
【０００１】
本発明はカーナビゲーションシステムやカーオーディオ等の車載装置に関し、詳しくは車載装置に用いられるタッチパネル式の表示装置に関する。
【背景技術】
【０００２】
従来、カーナビゲーションシステムやカーオーディオ等の車載装置において、ユーザが視認しやすいように比較的大画面のディスプレイを備えると共に、簡単に入力が行えるようにタッチパネルを備えたものが知られている。最近の車載装置は多機能でありメニューも豊富であることから、タッチパネルの操作も煩雑になってきている。そこで、表示画面を注視することなく所望の操作を行うことが可能なタッチパネルの技術が、例えば「特許文献１」に開示されている。また、表示装置に表示するメニュー画面に六角形を用いる技術が、例えば「特許文献２」に開示されている。
【先行技術文献】
【特許文献】
【０００３】
【特許文献１】特開２０１１−１３９９０号公報
【特許文献２】特開２００２−２１５２８０号公報
【発明の概要】
【発明が解決しようとする課題】
【０００４】
「特許文献１」に開示された技術では、タッチパネル上の非ボタン領域にユーザの指が接触することでガイドメニューが表示され、この後の指の移動に基づいて複数のガイドメニューのうちから特定のメニューが選択される。しかしメニューの階層が１階層であるため、ガイドメニューによって選択可能な機能の数が少ないという問題点がある。また「特許文献２」に開示された技術ではメニューの階層は２階層以上が可能であるが、表示装置に表示されるメニュー画面は１階層であり、次の階層を選択すると前の階層が表示画面から消えてしまい、メニューの選択操作が面倒であるという問題点がある。
【０００５】
本発明は上述の問題点を解決し、多階層のメニュー表示が可能であると共に、複数の階層を同一の画面内に表示することが可能な車載用表示装置の提供を目的とする。
【課題を解決するための手段】
【０００６】
請求項１記載の発明は、タッチパネルを備え、複数のメニューから任意のメニューを選択して実行する車載装置に搭載された車載用表示装置において、操作者の前記タッチパネルに対する接触を検知する入力部と、前記入力部の検知結果に基づいて、第１階層をなす複数のセレクトメニューをそれぞれ多角形アイコンとして前記タッチパネルに表示すると共に、第２階層をなす複数の実行メニューをそれぞれ多角形アイコンとして前記タッチパネルに表示する表示制御部とを有し、前記表示制御部は、前記複数のセレクトメニュー表示時に前記複数のセレクトメニューのうちの何れか１つである第１セレクトメニューが選択された場合、第１セレクトメニューに対応する複数の第１実行メニューを、第１セレクトメニューを中心として多角形アイコンに外接するように表示し、このとき第１セレクトメニューの表示状態を維持することを特徴とする。
【０００７】
請求項２記載の発明は、請求項１記載の車載用表示装置において、さらに前記表示制御部は、前記タッチパネルの入力位置を多角形入力アイコンとして表示すると共に前記多角形入力アイコンを中心として前記複数のセレクトメニューを表示し、前記複数のセレクトメニュー及び前記実行メニューの選択は、前記入力部のドラッグ操作方向に基づいて決定されることを特徴とする。
【０００８】
請求項３記載の発明は、請求項１または２記載の車載用表示装置において、さらに前記表示制御部は、前記複数の第１実行メニュー表示時に、前記複数のセレクトメニューのうち第１セレクトメニューとは異なる第２セレクトメニューが選択された場合、第２セレクトメニューに対応する複数の第２実行メニューを、第２セレクトメニューを中心として多角形アイコンに外接するように表示し、このとき第２セレクトメニューの表示状態を維持することを特徴とする。
【０００９】
請求項４記載の発明は、請求項１から３までの何れか１つに記載の車載用表示装置において、さらに第１セレクトメニューに対する前記入力部の接触を解除すると第１セレクトメニューに対応する複数の第１実行メニューの表示状態が固定され、前記複数の第１実行メニューのうちの何れか1つの第１実行メニューに対する接触を解除すると、この接触解除された第１実行メニューが実行されることを特徴とする。
【発明の効果】
【００１０】
本発明によれば、複数のセレクトメニューを備えた１次階層セレクタのうちから何れか１つのセレクトメニューを選択するとこの選択位置を中心として複数の実行メニューを備えた２次階層セレクタが表示され、このとき選択したセレクトメニューが表示状態を維持しているので、メニューの選択操作を円滑に行うことができる。
【図面の簡単な説明】
【００１１】
【図１】本発明の一実施形態を採用した車載用表示装置の概略図である。
【図２】本発明の一実施形態に用いられる車載用表示装置のブロック図である。
【図３】本発明の一実施形態におけるタッチパネル上のメニュー画面の移行を説明する概略図である。
【図４】本発明の一実施形態における制御フローチャートである。
【図５】本発明の一実施形態における制御フローチャートである。
【図６】本発明の一実施形態における動作フローチャートである。
【図７】本発明の一実施形態における動作フローチャートである。
【図８】本発明の一実施形態におけるドラッグ操作の検知構成を説明する概略図である。
【図９】本発明の一実施形態におけるドラッグ操作の検知構成を説明する概略図である。
【発明を実施するための形態】
【００１２】
図１は、本発明の一実施形態を採用した車載用表示装置を示している。同図において図示しない車載装置に搭載された車載用表示装置（車載ディスプレイ）１は、タッチパネル２と各コマンドキー３，４，５，６を有しており、各コマンドキー３〜６に対応した画面がタッチパネル２に表示される。図１に示す状態では、コマンドキー６が押下されてタッチパネル２にはナビゲーション画面が表示されている。
【００１３】
図２は、車載用表示装置１の制御ブロック図を示している。車載用表示装置１は表示部２ａ及び入力部２ｂを有するタッチパネル２の他、表示制御部７、操作情報伝達部８、音声制御部９、音声出力部１０等を有しており、コンテンツ処理部１１を有する携帯情報端末１２と相互通信可能に構成されている。これにより、例えばスマートフォン等からの入力に従って各種コマンドを実行可能に構成されている。
【００１４】
次に、本発明の特徴部であるメニュー画面表示について説明する。図３はタッチパネル２に表示されるメニュー画面である複数のセレクトメニュー及び複数の実行メニューの移行を、図４及び図５は制御フローチャートを、図６及び図７は動作フローチャートをそれぞれ示している。図４及び図５における制御は、表示制御部７において行われる。
【００１５】
先ず、タッチパネル２の任意の位置にユーザの指が接触したか否かが判断され（ＳＴ０１）、指が接触したと判断されると指が接触した位置が取得され（ＳＴ０２）、セレクタ起動ボタンであるコマンドキー３が押下されたか否かが判断される（ＳＴ０３）。コマンドキー３が押下された場合には、ユーザの指が接触した位置に１次階層セレクタの位置を定義し（ＳＴ２１）、タッチパネル２に図３（ａ）に示す第１階層をなす１次階層セレクタ１３を表示する（ＳＴ０６）。この１次階層セレクタ１３は、それぞれ多角形アイコン（本実施形態では正六角形アイコン）からなるＡ〜Ｆまでの６個のセレクトメニューを有している。ステップＳＴ０３においてコマンドキー３が押下されない場合には、タッチパネル２に対する指の接触時間が取得され（ＳＴ０４）、接触時間が２秒間以上であるか否かが判断される（ＳＴ０５）。接触時間が２秒間以上であると判断されるとステップＳＴ０６に進み、２秒間未満であると判断されるとステップＳＴ０１に戻る。
【００１６】
ステップＳＴ０６の状態から任意のセレクトメニュー（ここでは第１セレクトメニューとしてのセレクトメニューＡ）に向けてドラッグ操作（指をタッチパネル２に接触させたままスライド移動させる）を行うと（ＳＴ０７）、セレクトメニューＡが選択されたと判断して（ＳＴ２２）図３（ｂ）に状態Ａとして示すように（ＳＴ２３）、セレクトメニューＡを中心にＡ＿１〜Ａ＿６までの６個の第１実行メニューを有する第２階層をなす２次階層セレクタ１４が表示される（ＳＴ０８）。ステップＳＴ０７においてドラッグ操作がないと判断されると、タッチパネル２から指を離したか否かが判断され（ＳＴ０９）、指を離したと判断されると１次階層セレクタ１３を非表示として（ＳＴ１０）ステップＳＴ０１に戻る。指を離していないと判断されるとステップＳＴ０７に戻る。
【００１７】
ステップＳＴ０８の状態から、選択しているセレクトメニューＡから指を離したか否かが判断され（ＳＴ１１）、指を離していないと判断されると他のセレクトメニューＢ〜Ｆへの接触があるか否かが判断される（ＳＴ１２）。他のセレクトメニューへの接触があると判断されるとステップＳＴ０８に進み、第２セレクトメニューであるセレクトメニューＢが選択された場合（ＳＴ２４）には図３（ｃ）に状態Ｂとして示すように（ＳＴ２５）、セレクトメニューＢを中心にＢ＿１〜Ｂ＿６までの６個の第２実行メニューを有する第２階層をなす２次階層セレクタ１４が表示される。同様に、第３セレクトメニューであるセレクトメニューＣが選択された場合（ＳＴ２６）には図３（ｄ）に状態Ｃとして示すように（ＳＴ２７）、セレクトメニューＣを中心にＣ＿１〜Ｃ＿６までの６個の第３実行メニューを有する第２階層をなす２次階層セレクタ１４が表示され、第４セレクトメニューであるセレクトメニューＤが選択された場合（ＳＴ２８）には図３（ｅ）に状態Ｄとして示すように（ＳＴ２９）、セレクトメニューＤを中心にＤ＿１〜Ｄ＿６までの６個の第４実行メニューを有する第２階層をなす２次階層セレクタ１４が表示され、第５セレクトメニューであるセレクトメニューＥが選択された場合（ＳＴ３０）には図３（ｆ）に状態Ｅとして示すように（ＳＴ３１）、セレクトメニューＥを中心にＥ＿１〜Ｅ＿６までの６個の第５実行メニューを有する第２階層をなす２次階層セレクタ１４が表示され、第６セレクトメニューであるセレクトメニューＦが選択された場合（ＳＴ３２）には図３（ｇ）に状態Ｆとして示すように（ＳＴ３３）、セレクトメニューＦを中心にＦ＿１〜Ｆ＿６までの６個の第６実行メニューを有する第２階層をなす２次階層セレクタ１４が表示される。ステップＳＴ１２において他のセレクトメニューへの接触がないと判断されると、ステップＳＴ１１に戻る。
【００１８】
ステップＳＴ１１において選択しているセレクトメニューＡから指を離したと判断されると、指を離した位置において第１実行メニューＡ＿１〜Ａ＿６を有する２次階層セレクタ１４が表示状態を維持してその位置が定義され（ＳＴ４１）、表示状態が固定される（ＳＴ１３）。第１実行メニューＡ＿１〜Ａ＿６を有する２次階層セレクタ１４の表示状態が固定されると、その後にセレクトメニューＡを除く他のセレクトメニューに接触しても、第１実行メニューを除く他の実行メニューを有する２次階層セレクタ１４が表示されることはない。この状態から再度タッチパネル２に接触すると（ＳＴ１４）、接触位置が取得されて（ＳＴ１５）この位置に第１実行メニューＡ＿１〜Ａ＿６を有する２次階層セレクタ１４が移動表示される（ＳＴ１６）。
【００１９】
次に、セレクトメニューＡから第１実行メニューＡ＿１に向けてドラッグ操作し（ＳＴ４２）、実行メニューＡ＿１から指が離れたか否かが判断される（ＳＴ１７）。指が離れたと判断されるとＡ＿１のメニューが実行される（ＳＴ１８）。同様に、第１実行メニューＡ＿２に向けてドラッグ操作（ＳＴ４３）後、または第１実行メニューＡ＿３に向けてドラッグ操作（ＳＴ４４）後、または第１実行メニューＡ＿４に向けてドラッグ操作（ＳＴ４５）後、または第１実行メニューＡ＿５に向けてドラッグ操作（ＳＴ４６）後、または第１実行メニューＡ＿６に向けてドラッグ操作（ＳＴ４７）後に指が離されたと判断されると、それぞれのメニューが実行される。
【００２０】
ステップＳＴ１７において指が離れていないと判断されると、セレクトメニューＡから指が離れているか否かが判断され（ＳＴ１９）、離れていない場合にはステップＳＴ１７に戻り、離れている場合には第１実行メニューＡ＿１〜Ａ＿６を有する２次階層セレクタ１４の表示を継続し（ＳＴ２０）、ステップＳＴ１４に戻って第１実行メニューＡ＿１〜Ａ＿６を有する２次階層セレクタ１４が移動表示される。
【００２１】
ここで、ドラッグ操作が行われる場合における検知構成について説明する。  
先ず、１次階層セレクタ１３であるセレクトメニューＡ〜Ｆに対する検知について説明する。これは、図４、図５に示すフローチャートのステップＳＴ０７，ＳＴ１２に対応する。  
図８に示すように、各セレクトメニューＡ〜Ｆの六角形アイコンの外側の領域であっても、中央の六角形の領域である多角形入力アイコン１５からドラッグ操作を開始し、多角形入力アイコン１５を除いて６等分された検知領域のうちの何れかの領域に指が接触すれば、接触した検知領域に対応するセレクトメニューが選択されたと判断する。この一連の操作により、ドラッグ操作方向に基づいてセレクトメニューが決定される。
【００２２】
次に、２次階層セレクタ１４である第１実行メニューＡ＿１〜Ａ＿６（他の第２〜第６実行メニューも同様である）に対する検知について説明する。これは、図４、図５に示すフローチャートのステップＳＴ１７に対応する。  
図９に示すように、第１実行メニューＡ＿１〜Ａ＿６の各六角形アイコンの外側の領域であっても、中央のセレクトメニューＡの領域からドラッグ操作を開始し、セレクトメニューＡの六角形アイコンを除いて６等分された検知領域のうちの何れかの領域において指が接触または離脱すれば、接触または離脱した検知領域に対応する実行メニューが選択されたと判断して選択された実行メニューが実行される。この一連の操作により、ドラッグ操作方向に基づいて実行メニューが決定される。
【００２３】
なお、上述した一連の動作中において、タッチパネル２上に配設された図示しない「戻る」スイッチが押下されると、動作が予め設定されているステップ（例えば開始ステップ、または１次階層セレクタ１３が画面表示されるステップＳＴ０６等）まで強制的に戻される。この図示しない「戻る」スイッチは、実行メニューの表示状態が固定されるステップＳＴ１３以降で特に必要となる場合が多い。
【００２４】
上述の構成によれば、複数のセレクトメニューを備えた１次階層セレクタ１３のうちから何れか１つのセレクトメニューを選択するとこの選択位置を中心として複数の実行メニューを備えた２次階層セレクタ１４が表示され、このとき選択したセレクトメニューが表示状態を維持しているので、メニューの選択操作を円滑に行うことができる。
【００２５】
また、タッチパネル２の入力位置を多角形入力アイコンとして表示すると共に多角形入力アイコンを中心として複数のセレクトメニューを表示し、各セレクトメニュー及び実行メニューの選択は入力部のドラッグ操作方向に基づいて決定されるので、接触開始位置から操作を開始でき、セレクトメニュー及び実行メニューの選択はどちらも所定の方向にドラッグする同様の操作を行えばよく、メニューの選択操作を円滑に行うことができる。
【００２６】
また、複数の第１実行メニュー表示時に複数のセレクトメニューのうち第１セレクトメニューとは異なる第２セレクトメニューが選択された場合に、第２セレクトメニューに対応する複数の第２実行メニューを、第２セレクトメニューを中心として多角形アイコンに外接するように表示し、このとき第２セレクトメニューの表示状態を維持するので、メニュー表示を複数の第１実行メニューから複数の第２実行メニューに切り替えたい場合に、セレクトメニュー表示段階まで戻る操作を行う必要がなく、メニューの選択操作を円滑に行うことができる。
【００２７】
さらに、第１セレクトメニューに対する入力部の接触を解除すると第１セレクトメニューに対応する複数の第１実行メニューの表示状態が固定され、複数の第１実行メニューのうちの何れか一つの第１実行メニューに対する接触を解除するとこの接触解除された第１実行メニューが実行されるので、実行メニュー表示状態の固定と実行メニューの実行とはどちらも対応するセレクトメニューまたは実行メニューに対する接触を解除する同様の操作によって行われるため、メニューの選択操作を円滑に行うことができる。
【００２８】
上記実施形態では、１次階層セレクタ１３が有するセレクトメニューの数及び２次階層セレクタ１４が有する実行メニューの数を共に６としたが、各メニューの数はこれに限られず他の個数であってもよく、また１次階層セレクタと２次階層セレクタとで各メニューの数が異なっていてもよい。さらに上記実施形態では１次階層と２次階層との２階層構造としたが、３階層以上であってもよい。
【符号の説明】
【００２９】
１  車載用表示装置
２  タッチパネル
２ｂ  入力部
７  表示制御部
１３  第１階層（１次階層セレクタ）
１４  第２階層（２次階層セレクタ）
１５  多角形入力アイコン
【図１】
2014144738.tif 000003
【図２】
2014144738.tif 000004
【図３】
2014144738.tif 000005
【図４】
2014144738.tif 000006
【図５】
2014144738.tif 000007
【図６】
2014144738.tif 000008
【図７】
2014144738.tif 000009
【図８】
2014144738.tif 000010
【図９】
2014144738.tif 000011